(57)【要約】【課題】色信号変換用３ＤＬＵＴの精度を向上させる。【解決手段】感光材料の色信号変換用の３次元テーブルを作成するための露光装置であって、前記３次元テーブルを構成するための各色の露光量を変化させるための白黒の濃度パターンを表示する白黒パターン表示装置と、前記感光材料の分光特性において最も混色の少ない光を、前記白黒パターン表示装置に照射する照明光源と、を備えたことを特徴とする３次元テーブル作成用露光装置を提供することにより前記課題を解決する。【選択図】図１
2004272084.tif 000002
【特許請求の範囲】
【請求項１】
感光材料の色信号変換用の３次元テーブルを作成するための露光装置であって、
前記３次元テーブルを構成する色の光の露光量を変化させるための白黒の濃度パターンを表示する白黒パターン表示装置と、
３次元テーブルを構成する色に対応して前記感光材料の分光特性において最も混色の少ない光を、前記白黒パターン表示装置に照射する照明光源と、
を備えたことを特徴とする３次元テーブル作成用露光装置。
【請求項２】
前記白黒パターン表示装置は、透過型白黒液晶ディスプレイである請求項１に記載の３次元テーブル作成用露光装置。
【請求項３】
感光材料の色信号変換用の３次元テーブル作成方法であって、
前記３次元テーブルを構成する色の光の露光量を変化させるための白黒の濃度パターンを表示し、
３次元テーブルを構成する色に対応して前記感光材料の分光特性において最も混色の少ない光を用いて、前記白黒の濃度パターンを前記感光材料に露光し、
該露光した感光材料から読み取ったデータを用いて３次元テーブルを作成することを特徴とする３次元テーブル作成方法。
【発明の詳細な説明】
【０００１】
【発明の属する技術分野】
本発明は、３次元テーブル作成用露光装置及び３次元テーブル作成方法に係り、特に、フィルムや信号伝達系の解析を目的とした３次元ルックアップテーブルにおいて、色再現域を広くし、最大の色再現域を表現した理想的な３次元ルックアップテーブルを作成する３次元テーブル作成技術に関する。
【０００２】
【従来の技術】
従来、各種デジタルプリンタにより、色情報を忠実に再現し、正確な色を出力する必要がある場合には、複数の入力値をプリンタに与えて、その色を出力し、出力された色を測色することで、入力値と出力値の関係を表すルックアップテーブルを作成し、これを使用して入力信号から出力信号への色変換を行って、所定の写真感光材料に再現された色を出力することが行われていた。
【０００３】
特に、カラープリンタによりカラー写真感光材料に出力する場合には、通常ＲＧＢの３種のカラー画像信号を入力することから、３次元テーブルである３次元のルックアップテーブル（３ＤＬＵＴ）が用いられる。
このような３ＤＬＵＴを作成する場合に、例えば銀塩感材にレーザ等で露光を行うことで画像を出力するデジタルプリンタを考えると、通常感材に与えるＲ、Ｇ、Ｂの露光量と発色濃度Ｄｒ、Ｄｇ、Ｄｂの関係を表した３ＤＬＵＴを作成して画像を出力するようにしていた。
【０００４】
例えば、カラーリバーサルフィルムやカラーペーパ等の感光材料に画像を出力する場合には、まず最大露光量及び最小露光量を設定し、ダイナミックレンジを決めて、最大濃度及び最小濃度を決定し、次に中間濃度のグレイレベルが揃うように出力値を調整して、これらの条件の下で３ＤＬＵＴ用チャートを出力し、３ＤＬＵＴを作成していた。このように狭露光レンジ感光材料の場合には、これらの条件を一通り設定すれば結果的に全濃度範囲をカバーすることができ、適正な色再現ができる。
また、カラーネガフィルムのように広い露光レンジを有する感光材料については、出力装置の光量変調比の制約、光量制御値の分解能の観点から、目的に応じた露光量範囲に設定して３ＤＬＵＴを作成する。
【０００５】
【発明が解決しようとする課題】
しかしながら、従来は前述したように、写真感光材料の色信号変換用３次元テーブル（３ＤＬＵＴ）を作成する場合、レーザ光を用いて作成していたが、使用できるレーザ光源として市場より調達できる製品には、その発振周波数に制約があるため以下のような問題があった。
【０００６】
すなわち、写真感光材料の分光感度設計には自由度があり、また、最近では青色、緑色、赤色の３色の感光層の他に、第４の感光層を導入している感光材料もある。これらの感光材料を、上述したような発振周波数に制約があるレーザを用いて露光して、３ＤＬＵＴを作成した場合、露光したい目的の感光層以外にも感光してしまう。その結果、３ＤＬＵＴの信号変換に悪影響を与え、精度の良い色信号変換を行うことができないという問題がある。
【０００７】
本発明は、前記従来の問題に鑑みてなされたものであり、感光材料を露光して３ＤＬＵＴを作成する際に、目的以外の感光層への混色を減らした露光を行い、色信号変換用３ＤＬＵＴの精度を向上させることのできる３次元テーブル作成装置及び方法を提供することを課題とする。
【０００８】
【課題を解決するための手段】
前記課題を解決するために、本発明の第一の態様は、感光材料の色信号変換用の３次元テーブルを作成するための露光装置であって、前記３次元テーブルを構成する色の光の露光量を変化させるための白黒の濃度パターンを表示する白黒パターン表示装置と、３次元テーブルを構成する色に対応して前記感光材料の分光特性において最も混色の少ない光を、前記白黒パターン表示装置に照射する照明光源と、を備えたことを特徴とする３次元テーブル作成用露光装置を提供する。
【０００９】
また、前記白黒パターン表示装置は、透過型白黒液晶ディスプレイであることが好ましい。
【００１０】
また、同様に前記課題を解決するために、本発明の第二の態様は、感光材料の色信号変換用の３次元テーブル作成方法であって、前記３次元テーブルを構成する色の光の露光量を変化させるための白黒の濃度パターンを表示し、３次元テーブルを構成する色に対応して前記感光材料の分光特性において最も混色の少ない光を用いて、前記白黒の濃度パターンを前記感光材料に露光し、該露光した感光材料から読み取ったデータを用いて３次元テーブルを作成することを特徴とする３次元テーブル作成方法を提供する。
【００１１】
【発明の実施の形態】
以下、本発明の３次元テーブル作成用露光装置及び３次元テーブル作成方法について、添付の図面に示される好適実施形態を基に詳細に説明する。
本実施形態は、３次元テーブル作成に使用される感光材料に最も混色の少ない光を選択することにより、露光時に目的以外の感光層への混色を減らした露光を可能とし、色信号変換用３次元テーブルの精度を向上させるようにするものである。
【００１２】
図１は、本発明に係る３次元テーブルを作成するために用いられる露光装置の第一実施形態を示す概略構成図である。
本実施形態の３次元テーブル作成用露光装置は、白色光源１０、レンズ１２、絞り１４、レンズ１６、回折格子１８、シリンドリカルレンズ２０、液晶パネル２２、シリンドリカルレンズ２４、絞り２６、レンズ２８、オプティカルファイバー３０、導光板３２がこの順に並べられて構成されており、導光板３２上にマスク３４及びカラーフィルム３６を載置して、導光板３２から射出され、マスク３４を通過した光によってカラーフィルム３６を露光するものである。
【００１３】
レンズ１２、絞り１４及びレンズ１６から成る光学系は、白色光源１０から射出された光を平行光として回折格子１８に入射させるものである。
回折格子１８は、多数の細長い刻み（隙間）を等間隔で平行に並べたものであり、回折によって光を分光スペクトルに分解するものである。なお、図１では、反射型の回折格子が表示されているが、透過型でもよい。
シリンドリカルレンズ２０は、回折格子１８によって分光スペクトルに分解された光を平行光として均等に液晶パネル２２に入射させるものである。
【００１４】
液晶パネル２２は、透過型の白黒液晶ディスプレイ（白黒ＬＣＤ）であり、液晶ドライバ３８が接続されており、コンピュータ４０によって制御される。
すなわち、コンピュータ４０によって、液晶ドライバ３８を駆動して、分光スペクトルに分解された光のうち、特定の波長の光のみが液晶パネル２２を通過するようにする。これにより、任意の分光波長の中から、特定の波長の光を選択することができる。
【００１５】
シリンドリカルレンズ２４は、シリンドリカルレンズ２０とは逆向きに配置され、液晶パネル２２を通過した所定波長の光を絞るものである。絞り２８及びレンズ２８は、この光をさらに絞り、オプティカルファイバ３０の端面に入射させるものである。
オプティカルファイバ３０は、この光を効率よく導光板３２の側面の光入射面に入射させるものである。
【００１６】
導光板３２は、図に示すように断面が楔状をしており、側面から光が入射されると、発光面の全面に均一に光を拡散させる。
導光板３２の発光面上にマスク３４及びカラーフィルム（感光材料）３６を載せ、カラーフィルム３６にマスク３４のパターンを露光する。
【００１７】
このマスク３４は、カラーフィルム３６に図２に示すような露光パターンを得るためのものである。すなわち、この露光パターンは、例えば、図２（ａ）に示すように、Ｇ（緑）について、濃度レベルがＧ１からＧ６まで段階的に構成されており、各Ｇの濃度レベルについて、Ｂ（青）及びＲ（赤）が、さらに濃度レベルが段階的に分かれて構成されている。
例えば、図２（ａ）のＧ１を拡大して図２（ｂ）に示す。図２（ｂ）に示すように、濃度レベルＧ１のパターンが、縦横それぞれ６段階に分かれており、縦方向にＢ（青）の濃度レベルがＢ１からＢ６まで６段階に分かれ、また、同様に横方向にはＲ（赤）の濃度レベルがＲ１からＲ６まで６段階に分かれている。
【００１８】
そこで、このような露光パターンを得るために、マスク３４としては、図３（ａ）に示すように、縦方向に青光量（Ｂ１〜Ｂ６）を変化させ、図３（ｂ）に示すように、横方向に赤光量（Ｒ１〜Ｒ６）を変化させ、また図３（ｃ）に示すように、緑光量を、６箇所の四角形の部分にＧ１〜Ｇ６の光量をそれぞれ均一の露光が行われるように変化させ、各パターンを白黒フィルムに露光して作成する。
【００１９】
以下、本実施形態の作用として、図１の３次元テーブル作成用露光装置を用いた３次元テーブル作成方法について説明する。
まず、図３（ａ）、（ｂ）、（ｃ）に示すような、Ｂ光用、Ｒ光用、Ｇ光用のパターンを有する３種類のマスク３４を、例えば白黒フィルムに露光する等して予め作成する。
次に、図３（ａ）のＢ光用のパターンが作成されたマスク３４とカラーフィルム３６（例えば、富士写真フイルム社製カラーネガフィルムＮＳ）を載せて露光を行う。
【００２０】
このとき、コンピュータ４０により液晶ドライバ３８を制御して、液晶パネル２２を通過する光が中心波長４４０ｎｍ、波長半値幅５ｎｍとなるように設定する。
白色光源１０から射出された光は、レンズ１２、絞り１４及びレンズ１６を介して平行光とされて、回折格子１８に入射される。回折格子１８に入射された光は、分光スペクトルに分解され、シリンドリカルレンズ２０により平行光とされ、液晶パネル２２に入射される。
【００２１】
液晶パネル２２は上述したように、中心波長４４０ｎｍの光を透過する。この光は、シリンドリカルレンズ２４、絞り２６、レンズ２８を介してオプティカルファイバ３０の端面に集光され、オプティカルファイバ３０により、導光板３２の側面から導光板３２に入射される。
この光により、導光板３２上に載置されたマスク３４に形成された図３（ａ）のパターンがカラーフィルム３６に露光される。
【００２２】
次に、マスク３４を図３（ｂ）に示すＲ光用のパターンが形成されたものに取り替えて、同じカラーフィルム３６に、同様にして露光を行う。ただし、この場合には、コンピュータ４０により液晶ドライバ３８を制御して、液晶パネル２２を通過する光が、中心波長６３５ｎｍ、波長半値幅５ｎｍとなるように設定して露光する。
【００２３】
次に、マスク３４を図３（ｃ）に示すＧ光用のパターンが形成されたものに取り替えて、同じカラーフィルム３６に、同様にして露光を行う。ただし、この場合には、コンピュータ４０により液晶ドライバ３８を制御して、液晶パネル２２を通過する光が、中心波長５５５ｎｍ、波長半値幅５ｎｍとなるように設定して露光する。すなわち、結局全部で３回露光することとなる。
【００２４】
このようにして同じ試料（カラーフィルム３６）に３回露光を行ったが、露光に用いた光の波長は、例えば図４に示すような上記富士写真フイルム社製カラーネガフィルムＮＳの分光感度特性を参考にして、目的の感光層以外の層に感光（露光混色）する光量の少ない波長を選択したものである。
なお、ここで選択する光の波長は、その感光材料が撮影される光源に対する色信号変換３次元ルックアップテーブルを作成する等、３次元テーブルの作成目的により任意に選択することができる。
【００２５】
以上のようにして露光し、現像処理を行った後、カラーフィルム３６を画像入力装置（例えば、大日本スクリーン製造（株）製、シリンダー回転型カラースキャナＳＧ１０００Ａ）を用いて入力し、これをさらに基準濃度計（例えば、富士写真フイルム（株）製、三色同時測定濃度計ＴＣＤ）の濃度値に変換する。
そして、各パッチの濃度値を読み取り、３次元テーブルを作成する。
なお、上記カラースキャナＳＧ１０００Ａの分光フィルタは、上記濃度計ＴＣＤと同一特性のものを使用し、１次元テーブル変換でスキャナ出力値をＴＣＤ濃度値に変換できるようにしている。
【００２６】
次に、本発明の第二実施形態について説明する。
図５に、本実施形態に係る３次元テーブル作成用露光装置の概略構成を示す。
図５に示すように、本実施形態の３次元テーブル作成用露光装置は、白色光源５０、バンドパスフィルタ５２、オプティカルファイバ５４、導光板５６、液晶パネル５８を有して構成される。
【００２７】
バンドパスフィルタ５２は、白色光源５０から射出された光のうち特定の波長の光のみを選択的に通過させるためのものである。
オプティカルファイバ５４は、その選択された特定波長の光を導光板５６の側面に効率良く導くためのものである。
液晶パネル５８は、第一実施形態と同様に透過型白黒液晶ディスプレイである。ただし、本実施形態においては、液晶パネル５８の表示画面には、図示しないコンピュータ及び液晶ドライバにより、図３（ａ）、（ｂ）、（ｃ）に示すようなパターンが表示される。
【００２８】
本実施形態においては、液晶パネル５８に図３（ａ）、（ｂ）、（ｃ）のようなパターンを表示して、表示パターンを切り換えながら、液晶パネル５８上に載置されたカラーフィルム６０を３回露光する。
すなわち、まず、液晶パネル５８に図３（ａ）のＢ光用パターンを表示し、バンドパスフィルタ５２を、中心波長４４０ｎｍ、波長半値幅５ｎｍの光を通過させるようなものに設定し、カラーフィルム６０を露光する。
【００２９】
次に、液晶パネル５８に図３（ｂ）のＲ光用パターンを表示し、バンドパスフィルタ５２を、中心波長６３５ｎｍ、波長半値幅５ｎｍの光を通過させるようなものに切り換えて、同じカラーフィルム６０に２回目の露光をする。
次に、液晶パネル５８に図３（ｃ）のＧ光用パターンを表示し、バンドパスフィルタ５２を、中心波長５５５ｎｍ、波長半値幅５ｎｍの光を通過させるものに切り換えて、同じカラーフィルム６０に３回目の露光を行う。
【００３０】
このようにして、カラーフィルム６０を３回露光した後、第一実施形態と同様に、カラーフィルム６０を画像入力装置を用いて入力し、これをさらに基準濃度計の濃度値に変換する。そして、各パッチの濃度値を読み取り、３次元テーブルを作成する。
【００３１】
なお、上述した例では、液晶パネル５８上にカラーフィルム６０を載置して露光したが、必ずしもこれに限定されるものではなく、液晶パネル５８の表示画面をカメラで撮影するようにしてもよい。このとき、フィルムカメラで撮影した場合には、そのフィルムを現像後、上記と同様に画像入力装置で入力する。
また、デジタルカメラで撮影した場合には、撮影してえられたデジタル信号を、デジタル信号処理を行い３次元テーブルを作成する装置に、そのまま入力して３次元テーブル作成に用いることができる。この場合、３次元テーブルをデジタルカメラの性能の評価に用いることができる。
また、マスクパターンを表示するものは、上述のように白黒の液晶ディスプレイ（ＬＣＤ）に限定されず、白黒（モノクロ）のパターンを表示することのできる装置であればよい。このような白黒パターンを表示する装置と、感光材料の分光特性において、最も混色の少ない光を生成することの装置を組み合わせることで同様の結果を得ることができる。
【００３２】
このように、以上説明した実施形態によれば、写真感光材料を用いて色信号変換３次元テーブル（ＬＵＴ）を作成する際、露光混色の最も少ない光を選択して露光することができ、特に、透過型白黒ＬＣＤ等の白黒（モノクロ）表示装置を用いることにより、カラー表示装置の場合におけるような装置依存性がなく、色信号変換３次元テーブルの再現精度を向上させることができる。
また、任意の分光特性の光の中から、露光混色の最も少ない所定の光を選択して露光できるので、写真感光材料の特定の光に対する挙動の解析に用いることも可能となる。
【００３３】
以上、本発明の３次元テーブル作成用露光装置及び３次元テーブル作成方法について、詳細に説明したが、本発明は、以上の実施形態に限定されるものではなく、本発明の要旨を逸脱しない範囲において、各種の改良や変更を行ってもよいのはもちろんである。
【００３４】
【発明の効果】
以上、説明した通り、本発明によれば、写真感光材料を用いて色信号変換３次元テーブルを作成する際、露光混色の最も少ない光を選択して露光することができ、特に、透過型白黒ＬＣＤ等の白黒（モノクロ）表示装置を用いることにより、カラー表示装置の場合におけるような装置依存性がなく、色信号変換３次元テーブルの再現精度を向上させることができる。
【図面の簡単な説明】
【図１】本発明に係る３次元テーブルを作成するために用いられる露光装置の第一実施形態を示す概略構成図である。
【図２】（ａ）は露光パターンを示す説明図であり、（ｂ）は、その一部を拡大して示す説明図である。
【図３】（ａ）、（ｂ）、（ｃ）は、それぞれマスクに形成されるパターンを示す説明図である。
【図４】本発明の実施形態において用いた感光材料の分光感度特性を示す線図である。
【図５】本発明に係る３次元テーブルを作成するために用いられる露光装置の第二実施形態を示す概略構成図である。
【符号の説明】
１０、５０  白色光源
１２、１６、２８  レンズ
１４、２６  絞り
１８  回折格子
２０、２４  シリンドリカルレンズ
２２、５８  液晶パネル
３０、５４  オプティカルファイバ
３２、５６  導光板
３４  マスク
３６、６０  カラーフィルム
３８  液晶ドライバ
４０  コンピュータ
５２  バンドパスフィルタ
【図１】
2004272084.tif 000003
【図２】
2004272084.tif 000004
【図３】
2004272084.tif 000005
【図４】
2004272084.tif 000006
【図５】
2004272084.tif 000007